(57)【要約】【課題】  製造コストを低減し、遮蔽部材に不均等な撓みが生じても表示領域の遮蔽動作及び開放動作に影響がない遊技機を提供する。【解決手段】  図柄表示部２４に沿って間隔をおいて並立する少なくとも１対のガイド部材４２と、ガイド部材４２に少なくとも１対架設されると共に、ガイド部材４２の立設方向に位置する遮蔽部材４１の両端部にそれぞれ接続される接続部材４３と、１つ以上の前記接続部材４３をガイド部材４２の立設方向に移動させる駆動手段４４とを具備し、駆動手段４４が接続部材４３を移動させることで遮蔽部材４１を変形させ、図柄表示部２４の少なくとも一部を遮蔽状態又は開放状態とする。【選択図】      図１
2005342116.tif 000002
【特許請求の範囲】
【請求項１】
図柄を変動表示する図柄表示装置の図柄表示部を、可撓性を有する遮蔽部材により遮蔽する遊技機の遮蔽装置であって、
前記図柄表示部に沿って間隔をおいて並立する少なくとも１対のガイド部材と、
係るガイド部材に少なくとも１対架設されると共に、前記ガイド部材の立設方向に位置する前記遮蔽部材の両端部にそれぞれ接続される接続部材と、
１つ以上の前記接続部材を前記ガイド部材の立設方向に移動させる駆動手段と、を具備し、
前記駆動手段が前記接続部材を移動させることで前記遮蔽部材を変形させ、前記図柄表示部の少なくとも一部を遮蔽状態又は開放状態とすることを特徴とする遊技機の遮蔽装置。
【請求項２】
図柄を変動表示する図柄表示装置の図柄表示部を、可撓性を有する遮蔽部材により遮蔽する遊技機の遮蔽装置であって、
前記図柄表示部に沿って間隔をおいて並立する少なくとも１対のガイド部材と、
係るガイド部材に架設されると共に、前記ガイド部材の立設方向に位置する前記遮蔽部材の一方端部に接続される接続部材と、
前記図柄表示部に対して、前記ガイド部材の立設方向に位置する前記遮蔽部材の他方端部を固定する固定部材と、
係る固定部材に対して前記接続部材を前記ガイド部材の立設方向に移動させる駆動手段と、を具備し、
前記駆動手段が前記接続部材を移動させることで前記遮蔽部材を変形させ、前記図柄表示部の少なくとも一部を遮蔽状態又は開放状態とすることを特徴とする遊技機の遮蔽装置。
【請求項３】
前記遮蔽部材の撓みを規制する規制部が前記遮蔽部材に設けられたことを特徴とする請求項１又は２に記載の遊技機の遮蔽装置。
【請求項４】
前記規制部は、前記ガイド部材が離間する方向に亘って前記遮蔽部材に設けられた襞部と、係る襞部に内挿され、対をなす前記接続部材又は、前記接続部材と前記固定部材との間に位置する軸部材とからなり、係る軸部材が前記ガイド部材の立設方向に移動可能とされたことを特徴とする請求項３に記載の遊技機の遮蔽装置。
【請求項５】
前記遮蔽部材には、前記ガイド部材が離間する方向に亘って折癖が形成されたことを特徴とする請求項１〜４の何れかに記載の遊技機の遮蔽装置。
【請求項６】
前記規制部が複数設けられたことを特徴とする請求項３〜５の何れかに記載の遊技機の遮蔽装置。
【発明の詳細な説明】
【技術分野】
【０００１】
本発明は、遊技機に配設された図柄表示装置の図柄が変動表示される図柄表示部を必要に応じて遮蔽し得る遮蔽装置に関するものである。
【背景技術】
【０００２】
従来より、パチンコ機、スロットマシンあるいはパチンコ式スロットマシン等の遊技機では、遊技中に発生する毎回の始動及び停止を含む変動制御条件に基づいて図柄組み合わせゲームを展開すると共に、特別遊技状態に係る権利とされる図柄組み合わせ条件を成立表示することのできる遊技装置として、ドラム式図柄表示装置、ベルト式図柄表示装置、液晶式図柄表示装置等の各種形態の図柄表示装置が好適に採用されている。
【０００３】
前記図柄表示装置において、図柄組み合わせゲームの演出として、図柄を高速・低速で変動させたり、液晶表示装置であればキャラクターを表示させたりと、遊技者の趣向を高める演出が数々行われている。また近年は、図柄表示装置の近傍に補助装置を設け、その補助装置での補助演出を行うパチンコ機も開発されている。そして、前記補助装置としては、シャッター装置を採用し、図柄表示装置における図柄表示部を遮蔽板により遮蔽し、図柄を一旦隠すという演出を行うものが提案されている（例えば、特許文献１）。
【０００４】
また、前記補助演出を行うパチンコ機として、図柄表示装置を遮蔽するための可撓性の遮蔽フィルム及び、その遮蔽フィルムを巻き取る巻き取りローラを上端部及び下端部に備えた補助装置を図柄表示装置の近傍に設け、前記巻き取りローラを回動させることによって前記遮蔽フィルムの巻き取り及び巻き戻しを行うものも提案されている（例えば、特許文献２）。
【０００５】
【特許文献１】特開２００１−１２９１８５号公報（段落〔００３６〕−〔００４２〕、第５図）
【特許文献２】特開２００３−１１７１２９号公報（段落〔００２４〕−〔００４５〕、第４図）
【発明の開示】
【発明が解決しようとする課題】
【０００６】
しかしながら、特許文献１に記載の技術では、図柄表示装置における図柄の図柄表示部を１枚の遮蔽板で遮蔽するように構成しているため、図柄表示部における全ての表示領域を遮蔽し得る仕様とするには、前記図柄表示部の大きさに見合う寸法の遮蔽板が必要となる。この場合において、近年のパチンコ機は、迫力のある演出を行うために図柄表示装置が大型化される傾向にあるが、この図柄表示装置の大型化に伴ってその前面を遮蔽する遮蔽板も大型化してしまい、図柄表示部における全ての表示領域を開放する際に前記遮蔽板を収容するのに大きなスペースが必要となる。しかるに、遊技盤裏面には制御基盤等、数多くの部材が配設されていることから、大型の遮蔽板を収容するための大きなスペースを確保するのは困難であり、特許文献１に記載のシャッター装置では、図柄表示装置の大型化に充分に対応し得ないのが現状である。すなわち、図柄表示装置の大型化に対応し得る小型化が可能なシャッター装置が望まれている。
【０００７】
また、特許文献２に記載の技術では、上端部及び下端部に設けられた巻き取りローラによって前記遮蔽フィルムの巻き取り及び巻き戻しを行う構成を採用しているため、前記遮蔽フィルムの長さは、巻き取り及び巻き戻しするために表示領域の遮蔽距離以上に確保する必要があった。従って、その分だけ遮蔽フィルムを長尺としなければならず、製造コストが増大する。
【０００８】
また、特許文献２に記載の技術では、遮蔽フィルムが左右方向に不均等に撓んだ状態で巻き取られた場合、巻き取られた遮蔽フィルムの左右方向の長さが異なってしまい、その後の遮蔽フィルムの巻き戻しに不具合が生じる原因となり得る。そのため、特許文献２に記載されているような、上端部と下端部との間における遮蔽フィルムの張架を確実にするための渦巻きバネが必要であった。
【０００９】
さらに、特許文献２に記載の技術では、常に遮蔽フィルムが図柄表示部を覆うことになるため、図柄表示部を常に注視している遊技者に遮蔽図柄の出現を容易に予想させてしまうので、遮蔽図柄の出現のインパクトを低減させてしまっていた。
【００１０】
本発明は、以上の問題点に鑑みてなされたものであって、その目的は、遮蔽部材の製造コストを低減し、遮蔽部材による図柄表示部の遮蔽動作及び開放動作を確実かつスムーズに行うことができる遊技機の遮蔽装置を提供することである。また、本発明の他の目的は、図柄表示部の遮蔽演出に対するインパクトを確保する遊技機を提供することにある。
【課題を解決するための手段】
【００１１】
上記課題を解決するための、請求項１記載の発明に係る遊技機の遮蔽装置は、図柄を変動表示する図柄表示装置の図柄表示部を、可撓性を有する遮蔽部材により遮蔽する遊技機の遮蔽装置であって、前記図柄表示部に沿って間隔をおいて並立する少なくとも１対のガイド部材と、係るガイド部材に少なくとも１対架設されると共に、前記ガイド部材の立設方向に位置する前記遮蔽部材の両端部にそれぞれ接続される接続部材と、１つ以上の前記接続部材を前記ガイド部材の立設方向に移動させる駆動手段とを具備し、前記駆動手段が前記接続部材を移動させることで前記遮蔽部材を変形させ、前記図柄表示部の少なくとも一部を遮蔽状態又は開放状態とすることを特徴とする。
【００１２】
かかる構成とすることにより、遮蔽部材による図柄表示部の遮蔽動作を、巻き取りローラ等の部材を使用せずに、接続部材によって動作させているため、遮蔽部材の製造コストを低減させることができる。
【００１３】
また、前記ガイド部材に対して少なくとも１対架設された少なくとも１対の接続部材を、前記ガイド部材の立設方向における前記遮蔽部材の両端部に連結させる構成としたので、前記接続部材の移動によって前記遮蔽部材の張架が確実になされ、図柄表示部の遮蔽動作及び開放動作をスムーズに行うことができる。また、遮蔽部材の張架を確実にする前記渦巻きバネ等を用いる必要がないので、遊技機の製造コストを低減させることができる。
【００１４】
さらに、補助演出を行う遮蔽部材が、常に図柄表示部を覆う構成を採用せずに図柄表示部の遮蔽動作及び開放動作を行うので、図柄表示部の遮蔽演出に対するインパクトを確保することができる。
【００１５】
ここで、本発明の構成は、前記駆動部によって前記ガイド部材に係合しながら移動可能とされた作動用の接続部材と、その作動用の接続部材に接続された遮蔽部材を介して前記ガイド部材に沿って移動可能とされた接続部材（以下、被作動用の接続部材とする。）とを有するものである。すなわち、遮蔽部材の他方端部に接続された被作動用の接続部材は、前記ガイド部材に係合されているだけで、前記作動用の接続部材が移動することによってのみ動作するものである。
【００１６】
従って、前記作動用の接続部材が前記ガイド部材に沿って移動することによって伸張した遮蔽部材を介して前記被作動用の接続部材に牽引力が伝達されない限り、前記被作動用の接続部材は前記ガイド部材に係合したまま動かないので、このときは実質上、被作動用の横軸部は前記固定部材と同様の機能をなすこととなる。一方、被作動用の横軸部に対して作動用の横軸部の移動変位が、前記縦軸部の立設方向における遮蔽部材の長さを超える場合には、前記作動用の横軸部が前記縦軸部に沿って移動することによって伸張された遮蔽部材を介して前記被作動用の横軸部に牽引力が伝達されるので、前記作動用の横軸部及び前記被作動用の横軸部によって張られた前記遮蔽部材が前記図柄表示部の一部を遮蔽しながら移動することとなる。
【００１７】
上記課題を解決するための、請求項２記載の発明に係る遊技機の遮蔽装置は、図柄を変動表示する図柄表示装置の図柄表示部を、可撓性を有する遮蔽部材により遮蔽する遊技機の遮蔽装置であって、前記図柄表示部に沿って間隔をおいて並立する少なくとも１対のガイド部材と、係るガイド部材に架設されると共に、前記ガイド部材の立設方向に位置する前記遮蔽部材の一方端部に接続される接続部材と、前記図柄表示部に対して、前記ガイド部材の立設方向に位置する前記遮蔽部材の他方端部を固定する固定部材と、係る固定部材に対して前記接続部材を前記ガイド部材の立設方向に移動させる駆動手段と、を具備し、前記駆動手段が前記接続部材を移動させることで前記遮蔽部材を変形させ、前記図柄表示部の少なくとも一部を遮蔽状態又は開放状態とすることを特徴とする。
【００１８】
かかる構成とすることにより、遮蔽部材による図柄表示部の遮蔽動作を、巻き取りローラなどの部材を使用せずに、前記作動用の接続部材によって動作させているため、遮蔽部材の製造コストを低減させることができる。
【００１９】
また、前記ガイド部材に対して架設された作動用の接続部材及び前記固定部材を、前記ガイド部材の立設方向における両端部に接続された構成としたので、前記接続部材の移動によって前記遮蔽部材の張架が確実になされ、図柄表示部の遮蔽動作及び開放動作をスムーズに行うことができる。また、遮蔽部材の張架を確実にする前記渦巻きバネ等を用いる必要がないので、遊技機の製造コストを低減させることができる。
【００２０】
さらに、補助演出を行う遮蔽部材が、常に図柄表示部を覆う構成を採用せずに図柄表示部の遮蔽動作及び開放動作を行うので、図柄表示部の遮蔽演出に対するインパクトを確保することができる。
【００２１】
ここで、本発明の構成は、前記駆動部によって前記ガイド部材に係合しながら移動可能とされた作動用の接続部材と、その作動用の接続部材に一方端部が連結された遮蔽部材の他方端部に連結された固定部材とを有するものである。すなわち、前記固定部材によって他方端部が固定された遮蔽部材は、前記作動用の接続部材が移動することによって前記他方端部を前記固定部材に保持されながら伸張される。
【００２２】
上記課題を解決するための、請求項３記載の発明に係る遊技機の遮蔽装置は、請求項１又は２に記載の遊技機の遮蔽装置において、前記遮蔽部材の撓みを規制する規制部が前記遮蔽部材に設けられたことを特徴とする。
【００２３】
かかる構成とすることにより、前記図柄表示部を開放する際に前記遮蔽部材の撓みを規則正しくすることができるので、次回の遮蔽時及び開放時の前記遮蔽部材の挙動をスムーズに行うことができる。
【００２４】
上記課題を解決するための、請求項４記載の発明に係る遊技機の遮蔽装置は、請求項３に記載の遊技機の遮蔽装置において、前記規制部は、前記ガイド部材が離間する方向に亘って前記遮蔽部材に設けられた襞部と、係る襞部に内挿され、対をなす前記接続部材又は、前記接続部材と前記固定部材との間に位置する軸部材とからなり、係る軸部材が前記ガイド部材の立設方向に移動可能とされたことを特徴とする。
【００２５】
このように、対をなす前記接続部材の間に位置するか又は、前記接続部材と前記固定部材との間に位置する軸部材と、その軸部材を内挿する前記襞部とから構成される前記規制部を設け、前記軸部材を、前記接続部材や前記固定部材と同様に、前記ガイド部材の立設方向に移動可能としたことにより、前記遮蔽部材が前記ガイド部材の立設方向に分割されるので、遮蔽時及び開放時の前記遮蔽部材の挙動をさらにスムーズに行うことができる。また、前記規制部として用いる部品は、前記被作動用の接続部材と同様の部品を転用できるので、部品点数増加による製造コストを減じることができる。なお、前記軸部材が、対をなす前記接続部材の間に位置するか又は、前記接続部材と前記固定部材との間に位置し、かつ前記ガイド部材の立設方向に移動可能とされる構成としては、当該軸部材の両端部が前記ガイド部材や、前記ガイド部材に並立する第２のガイド部材に対して摺動可能に接続される構成が採用される。
【００２６】
上記課題を解決するための、請求項５記載の発明に係る遊技機の遮蔽装置は、請求項１〜４の何れかに記載の遊技機の遮蔽装置において、前記遮蔽部材には、前記ガイド部材が離間する方向に亘って折癖が形成されたことを特徴とする。
【００２７】
係る構成とすることにより、前記図柄表示部を開放する際に、前記遮蔽部材を効率よく折り畳むことができる。
【００２８】
上記課題を解決するための、請求項６記載の発明に係る遊技機の遮蔽装置は、請求項３〜５の何れかに記載の遊技機の遮蔽装置において、前記規制部が複数設けられたことを特徴とする。
【００２９】
係る構成とすることにより、前記遮蔽部材を折り畳む箇所が前記規制部によって多くなるので、前記図柄表示部外における前記遮蔽部材の収納スペースを小さくすることができる。
【発明の効果】
【００３０】
以上説明したように、本発明によれば、遮蔽部材による図柄表示部の遮蔽動作を、巻き取りローラなどの部材を使用せずに、作動用の接続部材によって動作させているため、遮蔽部材の製造コストを低減することができる。
【００３１】
また、前記ガイド部材に対して架設された作動用の接続部材と被作動用の接続部材又は固定部材とを前記遮蔽部材の一方端部と他方端部とに連結させる構成としたので、前記接続部材の移動によって前記遮蔽部材の張架が確実になされ、図柄表示部の遮蔽動作及び開放動作をスムーズに行うことができる。また、遮蔽部材の張架を確実にする前記渦巻きバネ等を用いる必要がないので、遊技機の製造コストを低減させることができる。
【００３２】
さらに、遮蔽部材の不均等な撓みを規制する規制部を設けたので、遮蔽部材に不均等な撓みが生じても図柄表示部の遮蔽動作及び開放動作に影響を及ぼすことがない。
【００３３】
加えて、補助演出を行う遮蔽部材が、常に図柄表示部を覆う構成を採用せずに図柄表示部の遮蔽動作及び開放動作を行うので、図柄表示部の遮蔽演出に対するインパクトを確保することができる。
【発明を実施するための最良の形態】
【００３４】
（第１の実施形態）
以下に、本発明に係る遮蔽装置の第１の実施形態について図面を参照して説明する。なお、本実施形態の遊技機の遮蔽装置は、図柄組合わせ遊技機としてのパチンコ機、スロットマシンあるいはパチンコ式スロットマシン等に好適に実施可能とされるものであるが、本実施形態では、主にパチンコ機を例に挙げて説明する。
【００３５】
図１は、本発明に係る遮蔽装置の構成を示す斜視図である。また、図２は、本発明に係る遮蔽装置が採用される遊技機１の概略構成図である。図１に示す本実施形態の遮蔽装置が採用される遊技機１は、図２に示すように、機前側から着脱交換可能に装着セットされた遊技盤２の遊技領域において、アウト口２１が形成される一方、セーフ球検出用のスイッチ（図示せず）を組込んだ始動入賞具２２と、「大当り」の成立時に開成条件が付与される電動入賞装置２３及び図柄表示部２４を構成する図柄表示装置３等が夫々配設されている。なお、電動入賞装置２３では、遊技球用の入賞領域に対する開閉部材が電磁ソレノイドの設定駆動条件に基づいて開閉変化されるようになっており、また、入賞領域に入ったセーフ球をカウント用スイッチと特別スイッチとにより検出し得、特別スイッチのセーフ球検出に基づいて電動入賞装置２３自体の開成作動継続条件が成立可能とされている。
【００３６】
前述のパチンコ機１に実施される、例えば液晶式の図柄表示装置３は、図３に示す如く、遊技盤２の前面側に装着セットされる大型装飾部材２５の裏側に整合するように、後述する本体ケースに配設されて、大型装飾部材２５に開口された透視窓部２５１を介して図柄表示装置３の図柄表示部２４が正面側から視認し得るよう構成される。そして、この図柄表示装置３では、始動入賞具２２のスイッチからの始動信号入力条件により、図示しない制御回路装置から発生される制御出力に基づいて、図柄表示部２４に複数列・複数段、具体的には３列×３段で合計９個の図柄を停止表示するよう構成されている。なお、本発明にいう図柄表示部２４とは、遊技盤２に設置された図柄表示装置３において遊技者が図柄を視認し得る表示領域を指すものである。
【００３７】
（遮蔽装置）
前述の遊技機１に実装される本実施形態の遮蔽装置４は、図４に示すように、遊技盤２の裏面側に装着セットされる箱形状の本体ケース４０に、大型装飾部材２５の透視窓部２５１に対応する透視窓部４０１が形成され、本体ケース４０の裏面側に、図柄表示装置３が、図柄表示部２４を透視窓部２５１（図示せず）に臨む状態で着脱可能に配設される。すなわち、図柄表示装置３の図柄表示部２４は、大型装飾部材２５の透視窓部２５１及び本体ケース４０の透視窓部４０１を介して遊技機１の正面側から視認し得るよう構成されている。ここで、透視窓部４０１は、本体ケース４０を開口させた構造ではなく、透視窓部４０１として透明な部材を採用した構造を有するものである。例えば、箱形状をなす本体ケース４０における遊技盤２側の面と図柄表示装置３側の面とに、アクリル樹脂やＡＢＳ樹脂等、透明な部材からなる透視窓部４０１を形成して、遊技者が図柄表示装置３による表示を視認するための透過空間を形成するのである。従って、本発明に係る遮蔽装置４は、本体ケース４０の少なくとも一部を透明とした部材によって構成されてもよく、透視窓部４０１が形成される領域を予め定めないで本体ケース４０全体を透明な部材で構成してもよい。なお、ここでいう一部とは、遊技者が図柄表示装置３による表示を視認するための透視窓部４０１に該当する領域である。
【００３８】
本体ケース４０の内部には、図１に示すように、透視窓部４０１，４０１によって形成される前記透過空間を挟む左右両側に、１対のガイド部材４２，４２が対向して配設されている。また、１対のガイド部材４２，４２を挟むようにして位置決め部材４６がガイド部材４２に並行に立設されている。そして、これら１対の位置決め部材４６に対して複数の接続部材４３が架設されている。ガイド部材４２には、例えば、表面に螺旋状の溝が刻設されたスパイラルシャフトが採用される。
【００３９】
各接続部材４３は、棒形状の芯材４３１とその端部に設けられた位置決め部材接続部４３３とから構成され、位置決め部材接続部４３３が位置決め部材４６に遊嵌されることによって架設されている。
【００４０】
位置決め部材４６に架設された複数の接続部材のうち、１つの接続部材４３には、ガイド部材接続部４３２が設けられ、そのガイド部材接続部４３２がガイド部材４２に刻設された溝に螺合することによって架設されている。以下、本実施形態では、ガイド部材接続部４３２が接続された接続部材４３を作動用接続部材４３ａと称し、ガイド部材接続部４３２が接続されていない接続部材４３を被作動用接続部材４３ｂと称することにする。
【００４１】
そして、ガイド部材接続部４３２が設けられた作動用接続部材４３ａを、ガイド部材４２の立設方向（図中の上下方向）に移動させるための駆動手段４４が駆動モータ４４１及び駆動伝達シャフト４４２によって構成されている。駆動モータ４４１には、正逆回転が可能なステッピングモータを採用し、その駆動モータ４４１による回転駆動が駆動伝達シャフト４４２を介して１対のガイド部材４２，４２に伝達されることによって、当該１対のガイド部材４２，４２が、その立設方向を軸として回転し、ガイド部材接続部４３２、すなわち作動用接続部材４３ａが、ガイド部材４２の立設方向に移動可能となる。ここで、作動用接続部材４３ａには、作動用接続部材４３ａの上下移動を制動するためのフォトセンサ等の位置検出器４７が設けられている。
【００４２】
一方、１対のガイド部材４２，４２及び１対の位置決め部材４６，４６に架設された複数の接続部材４３の芯材４３１には、シート状の遮蔽部材４１が接続される。
【００４３】
図５（ａ），（ｂ）は、本実施形態における遮蔽部材の構成を示す図である。図５（ａ），（ｂ）に示すように、遮蔽部材４１の裏側（図柄表示装置３側）には、接続部材（図示せず）の架設方向に沿って貫通する袋状の襞部４１１が複数形成されている。これら襞部４１１は、遮蔽部材４１の所定部位を接着、縫合されるなどして形成される。
【００４４】
芯材４３１に対する遮蔽部材４１の接続態様としては、遮蔽部材４１の裏側に複数形成された襞部４１１に各接続部材４３の芯材４３１を内挿することによってなされる（図１参照）。そして、各襞部４１１間が撓み範囲を形成する。また、襞部４１１及び芯材４３１が後述する規制部４５を構成する。
【００４５】
ここで、遮蔽部材４１の材質は、ポリエステル、アクリル等の化学繊維や、レーヨン等の再生繊維や、綿等の布材、ビニール、ゴム等、それ自体が可撓性の材質であることが好ましい。また、前記撓み範囲内には、遮蔽部材４１の左右端部に亘って折癖が設けられることが好ましい。
【００４６】
次に、本発明に係る遮蔽装置の第１の実施形態における動作について図面を参照して以下に説明する。なお、本実施形態における動作の説明については、作動用接続部材４３ａの動作と遮蔽部材４１の動作とに分けて説明する。
【００４７】
また、本実施形態の動作を説明するための遊技機の構成について図６を参照して説明する。遊技機１は、図６に示すように、図柄表示装置３及び遮蔽装置４を制御する表示制御基板と、スピーカを制御する音声制御基板と、大型装飾部材等を構成する発光装置を制御するランプ制御基板とから構成される副制御基板と、演出実行指示等を出力して、前記副制御基板を統括的に制御する主制御基板とを有している。
【００４８】
駆動手段４４は、表示制御基板に設けられたモータ回路を介して前記副制御基板のサブＣＰＵに接続され、そのサブＣＰＵは、前記主制御基板のメインＣＰＵから入力された演出実行指示（変動パターン指定コマンド）に応じてＲＯＭに格納された所定のプログラムを読出し、駆動モータ４４１のパルス制御を行う。また、サブＣＰＵは、位置検出器４７に接続されており、位置検出器４７から入力された信号に基づいて駆動モータ４４１の停止制御を行う。このようにして、図柄表示部の遮蔽動作及び開放動作が行われる。
【００４９】
図７（ａ）、（ｂ）は、本実施形態における作動用接続部材４３ａの動作を示す斜視図である。なお、本図では、遮蔽部材４１及び被接続部材４３ｂは省略してある。図７（ａ）に示すように、まず、駆動モータ４４１の回転駆動が停止している状態において、駆動モータ４４１の回転駆動が開始されると、その回転駆動が駆動伝達シャフト４４２を介して１対のガイド部材４２，４２に伝達される。そうすると、当該１対のガイド部材４２，４２が、その立設方向を軸として回転し、ガイド部材接続部４３２、すなわち作動用接続部材４３ａが、ガイド部材４２の立設方向に移動して図７（ｂ）に示すように位置される。
【００５０】
図８（ａ）〜（ｃ）は、本実施形態における遮蔽部材４１の動作を示す斜視図である。なお、図８においては、位置決め部材４６に架設された各接続部材４３の動作によって変形する遮蔽部材４１について説明する。従って、各接続部材４３のうち、作動用接続部材４３ａに接続されたガイド部材接続部４３２及びガイド部材４２並びにガイド部材４２を回転させる駆動手段４４については図示しない。
【００５１】
まず、図８（ａ）に示すように、位置決め部材４６に４つの接続部材４３が架設され、そのうちの１つとして作動用接続部材４３ａが最下に位置する場合、初期状態では、作動用接続部材４３ａが、図示しないガイド部材接続部４３２を介してガイド部材４２，４２に係止されているので、３つの非作動用接続部材４３ｂ１，４３ｂ２，４３ｂ３は、作動用接続部材４３ａに載りかかっている。このとき、各芯材４３１が襞部４１１に内挿されることによって各接続部材４３に接続された遮蔽部材４１は、襞部４１１間で折り畳まれている。折り畳まれた状態の遮蔽部材４１は、図柄表示部２４の上方に位置しており、遊技者からは視認困難となる位置に収納されることになる。
【００５２】
ここで、被作動用接続部材４３ｂ１，４３ｂ２，４３ｂ３に接続された各位置決め部材接続部４３３は、位置決め部材４６に対して、それぞれ摩擦抵抗を異ならせるように摺接しているものとする。そして、位置決め部材４６に対する各位置決め部材接続部４３３の摩擦抵抗は、作動用接続部材４３ａに近づくにつれて小さくなるように設定することが望ましい。位置決め部材４６に対して各位置決め部材接続部４３３の摩擦抵抗を異ならせる構造としては、例えば、位置決め部材４６に接する各位置決め部材接続部４３３の内面に摩擦抵抗値の異なるゴム等からなるシール材を施す構造や、各位置決め部材接続部４３３の内径を異ならせる、すなわち、作動用接続部材４３ａに近づくにつれて位置決め部材接続部４３３の内径を大きくした構造が採用され得る。
【００５３】
その後、図示しない駆動モータ４４１が駆動伝達シャフト４４２を介して１対のガイド部材４２，４２に回転駆動を伝達させると、ガイド部材４２，４２の回転駆動に伴い、図８（ｂ）に示すように、作動用接続部材４３ａが直上の被作動用接続部材４３ｂ１を載せたまま降下した後、前記摩擦抵抗により保持された被作動用接続部材４３ｂ２と被作動用接続部材４３ｂ３との間で遮蔽部材４１が張架され、次いで、被作動用接続部材４３ｂ１と被作動用接続部材４３ｂ２との間で遮蔽部材４１が張架され、最後に、図８（ｃ）に示すように、作動用接続部材４３ａと被作動用接続部材４３ｂ１との間で遮蔽部材４１が張架される。
【００５４】
本実施形態では、図柄表示部２４の全体を遮蔽する大きさの遮蔽部材４１を用いた例を示したが、ガイド部材４２又は位置決め部材４６の立設方向における遮蔽部材４１の幅寸法を図柄表示部２４のそれより小さくした場合には、作動用接続部材４３ａが下方に移動するのに伴って、最上の被作動用接続部材４３ｂも下方へ移動するので、図柄表示部２４の一部を移動させながら遮蔽することができる。
【００５５】
以上説明したように、本実施形態によれば、遮蔽部材による図柄表示部の遮蔽動作を、巻き取りローラなどの部材を使用せずに、作動用接続部材によって動作させているため、遮蔽部材の製造コストを低減することができる。
【００５６】
また、前記ガイド部材に対して架設された作動用の接続部材と被作動用の接続部材又は固定部材とを前記遮蔽部材の一方端部と他方端部とに連結させる構成としたので、前記接続部材の移動によって前記遮蔽部材の張架が確実になされ、図柄表示部の遮蔽動作及び開放動作をスムーズに行うことができる。また、遮蔽部材の張架を確実にする前記渦巻きバネ等を用いる必要がないので、遊技機の製造コストを低減させることができる。
【００５７】
さらに、襞部とその襞部に内挿された芯材とによって遮蔽部材の撓み範囲を規制する規制部を設けたので、遮蔽部材に不均等な撓みが生じても図柄表示部の遮蔽動作及び開放動作に影響を及ぼすことがない。
【００５８】
加えて、補助演出を行う遮蔽部材が、常に図柄表示部を覆う構成を採用せずに図柄表示部の遮蔽動作及び開放動作を行うので、図柄表示部の遮蔽演出に対するインパクトを確保することができる。
【００５９】
（第２の実施形態）
以下に、本発明に係る遮蔽装置の第２の実施形態について図面を参照して説明する。なお、本実施形態では、前述の第１の実施形態と重複する構成及び動作については説明を省略する。
【００６０】
本発明に係る遮蔽装置の第２の実施形態が、前述の第１の実施形態に対して異なる点は、最上に位置する被作動用接続部材４３ｂ３の代わりに、本体ケース４０に接続される固定部材を設けたことである。
【００６１】
図９（ａ）は、本実施形態の遮蔽装置の構成を示す斜視図である。図９（ａ）に示すように、透視窓部４０１，４０１によって形成される前記透過空間を挟む左右両側に、１対のガイド部材４２，４２が対向して配設されている。また、１対のガイド部材４２，４２を挟むようにして位置決め部材４６がガイド部材４２に並行に立設されている。そして、これら１対の位置決め部材４６に対して複数の接続部材４３が架設されている。ガイド部材４２には、第１の実施形態と同様、例えば、表面に螺旋状の溝が刻設されたスパイラルシャフトが採用される。
【００６２】
各接続部材４３は、棒形状の芯材４３１とその端部に設けられた位置決め部材接続部４３３とから構成され、位置決め部材接続部４３３が位置決め部材４６に遊嵌されることによって架設されている。
【００６３】
位置決め部材４６に架設された複数の接続部材４３のうち、最下に位置する接続部材４３（作動用接続部材４３ａ）には、ガイド部材接続部４３２が設けられ、そのガイド部材接続部４３２がガイド部材４２に刻設された溝に螺合することによって架設されている。
【００６４】
そして、作動用接続部材４３ａを、ガイド部材４２の立設方向（図中の上下方向）に移動させるための駆動手段４４が駆動モータ４４１及び駆動伝達シャフト４４２によって構成されている。駆動モータ４４１には、正逆回転が可能なステッピングモータを採用し、その駆動モータ４４１による回転駆動が駆動伝達シャフト４４２を介して１対のガイド部材４２，４２に伝達されることによって、当該１対のガイド部材４２，４２が、その立設方向を軸として回転し、ガイド部材接続部４３２、すなわち作動用接続部材４３ａが、ガイド部材４２の立設方向に移動可能となる。
【００６５】
一方、１対のガイド部材４２，４２及び１対の位置決め部材４６，４６に架設された各接続部材４３の芯材４３１及び図９（ｂ）に示すような断面Ｌ字形状をなす固定部材４８には、シート状の遮蔽部材４１が接続される。固定部材４８は、ガイド部材４２又は位置決め部材４６の立設方向における遮蔽部材４１の端部を前記本体ケース（図示せず）に接続固定するように設置される。
【００６６】
図１０（ａ），（ｂ）は、本実施形態における遮蔽部材の構成を示す図である。図１０（ａ），（ｂ）に示すように、遮蔽部材４１の裏側（図柄表示装置３側）には、接続部材（図示せず）の架設方向に沿って貫通する袋状の襞部４１１が複数形成されている。これら襞部４１１は、遮蔽部材４１の所定部位を接着、縫合されるなどして形成される。また、ガイド部材４２又は位置決め部材４６の立設方向における遮蔽部材４１の端部は、固定部材４８によって前記本体ケース（図示せず）に接続されている。
【００６７】
芯材４３１に対する遮蔽部材４１の接続態様としては、遮蔽部材４１の裏側に複数形成された襞部４１１に各接続部材４３の芯材４３１を内挿することによってなされる（図９参照）。そして、各襞部４１１間が撓み範囲を形成する。また、襞部４１１及び芯材４３１が後述する規制部４５を構成する。
【００６８】
ここで、遮蔽部材４１の材質は、前述の第１の実施形態と同様の材質が採用されることが好ましく、前記撓み範囲内には、遮蔽部材４１の左右端部に亘って折癖が設けられることが好ましい。
【００６９】
次に、本発明に係る遮蔽装置の第２の実施形態における動作について図面を参照して以下に説明する。なお、本実施形態における動作の説明については、作動用接続部材４３ａの動作が前述の第１の実施形態と同様の動作であるので、遮蔽部材４１の動作について説明する。
【００７０】
図１１（ａ）〜（ｃ）は、本実施形態における遮蔽部材４１の動作を示す斜視図である。なお、図１１においては、位置決め部材４６に架設された各接続部材４３の動作によって変形する遮蔽部材４１について説明する。従って、各接続部材４３のうち、作動用接続部材４３ａに接続されたガイド部材接続部４３２及びガイド部材４２並びにガイド部材４２を回転させる駆動手段４４については図示しない。
【００７１】
まず、図１１（ａ）に示すように、位置決め部材４６に３つの接続部材４３が架設され、そのうちの１つとして作動用接続部材４３ａが最下に位置する場合、初期状態では、作動用接続部材４３ａが、図示しないガイド部材接続部４３２を介してガイド部材４２，４２に係止されているので、３つの非作動用接続部材４３ｂ１，４３ｂ２は、作動用接続部材４３ａに載りかかっている。このとき、各芯材４３１が襞部４１１に内挿されることによって各接続部材４３に接続された遮蔽部材４１は、襞部４１１間で折り畳まれている。折り畳まれた状態の遮蔽部材４１は、図柄表示部２４の上方に位置しており、遊技者からは視認困難となる位置に収納されることになる。
【００７２】
その後、図示しない駆動モータ４４１が駆動伝達シャフト４４２を介して１対のガイド部材４２，４２に回転駆動を伝達させると、ガイド部材４２，４２の回転駆動に伴い、作動用接続部材４３ａが被作動用接続部材，４３ｂ１，４３ｂ２を載せたまま降下した後、図１１（ｂ）に示すように、被作動用接続部材４３ｂ２と被作動用接続部材４３ｂ３との間で遮蔽部材４１が張架され、固定部材４８と被作動用接続部材４３ｂ２との間で遮蔽部材４１が張架される。
【００７３】
次いで作動用接続部材４３ａが降下すると、被作動用接続部材４３ｂ１と被作動用接続部材４３ｂ２との間で遮蔽部材４１が張架され、最後に、図１１（ｃ）に示すように、作動用接続部材４３ａと被作動用接続部材４３ｂ１との間で遮蔽部材４１が張架される。
【００７４】
本実施形態では、図柄表示部２４の全体を遮蔽する大きさの遮蔽部材４１を用いた例を示したが、ガイド部材４２又は位置決め部材４６の立設方向における遮蔽部材４１の幅寸法を図柄表示部２４のそれより小さくした場合には、遮蔽部材４１の一端が固定部材４８によって本体ケース（図示せず）に固定接続された状態で作動用接続部材４３ａが下方に移動するのに伴って、固定部材４８が設置された一辺を含む図柄表示部の一部を遮蔽することができる。
【００７５】
以上に説明した実施形態では、図柄表示部を上から下に遮蔽することを前提としたので、被作動用接続部材４３ｂより作動用接続部材４３ａが下方にある構成で説明したが、図柄表示部を下から上に遮蔽する場合には、被作動用接続部材４３ｂより作動用接続部材１ａを上方に位置させることとなる。
【００７６】
また、以上の実施形態では、作動用接続部材４３ａが架設される１対のガイド部材４２と、全ての接続部材４３ｂが架設される１対の位置決め部材とを有する構成としたが、ガイド部材４２に対して、所定の摩擦抵抗で摺接又は遊嵌する第２のガイド部材接続部を位置決め部材接続部４３３の代わりに適用して芯材４３１と共に被作動用接続部材４３ｂを構成することも可能である。このようにすれば、位置決め部材４６が不要となるので、部品点数が少なくなり、コスト低減を実現できる。
【００７７】
さらに、以上の実施形態では、作動用接続部材４３ａが架設される１対のガイド部材４２と、全ての接続部材４３ｂが架設される１対の位置決め部材とを有する構成としたが、作動用接続部材４３ａを上下方向に移動させる手段は、作動用接続部材４３ａと被作動用接続部材４３ｂとが略同じ移動軌跡を呈するのであれば、ガイド部材４２及び駆動手段４４に限られない。
【００７８】
次に、上記実施形態から把握できる技術的思想について以下に追記する。
【００７９】
（イ）  図柄を変動表示する図柄表示装置の図柄表示部を、可撓性を有する遮蔽部材により遮蔽する遊技機の遮蔽装置であって、上下方向に延在し、前記図柄表示部に沿って間隔をおいて並設された縦軸部と、前記各縦軸部に対して少なくとも１対架設されると共に、前記縦軸部の立設方向に位置する前記遮蔽部材の両端部にそれぞれ接続される横軸部と、１つ以上の前記横軸部を前記縦軸部の立設方向に移動させる駆動手段とを具備し、前記駆動手段が前記横軸部を移動させることで前記遮蔽部材を変形させ、前記図柄表示部の少なくとも一部を遮蔽状態又は開放状態とすることを特徴とする遊技機の遮蔽装置。
【００８０】
かかる構成は、前記ガイド部材を縦軸部とし、前記接続部材を横軸部として適用し、遊技機の上下方向に立設された縦軸部に沿って前記遮蔽部材が上下方向に移動して前記図柄表示部の少なくとも一部を遮蔽する構成を示したものである。
【００８１】
従って、遮蔽部材による図柄表示部の遮蔽動作を、巻き取りローラ等の部材を使用せずに、横軸部によって動作させているため、遮蔽部材の製造コストを低減させることができる。
【００８２】
また、前記縦軸部に対して架設された少なくとも１対の横軸部を、前記縦軸部の立設方向における前記遮蔽部材の両端部に連結させる構成としたので、前記横軸部の移動によって前記遮蔽部材の張架が確実になされ、図柄表示部の遮蔽動作及び開放動作をスムーズに行うことができる。また、遮蔽部材の張架を確実にする前記渦巻きバネ等を用いる必要がないので、遊技機の製造コストを低減させることができる。
【００８３】
さらに、補助演出を行う遮蔽部材が、常に図柄表示部を覆う構成を採用せずに図柄表示部の遮蔽動作及び開放動作を行うので、図柄表示部の遮蔽演出に対するインパクトを確保することができる。
【００８４】
ここで、本発明の構成は、前記駆動部によって前記縦軸部に係合しながら移動可能とされた作動用の横軸部と、その作動用の横軸部に接続された遮蔽部材を介して前記縦軸部に沿って移動可能とされた横軸部（以下、被作動用の横軸部とする。）とを有するものである。すなわち、前記遮蔽部材の他方端部に接続された被作動用の横軸部は、前記縦軸部に係合されているだけで、前記作動用の横軸部が移動することによってのみ動作するものである。
【００８５】
従って、前記作動用の横軸部が前記縦軸部に沿って移動することによって伸張した遮蔽部材を介して前記被作動用の横軸部に牽引力が伝達されない限り、前記被作動用の横軸部は前記縦軸部に係合したまま動かないので、このときは実質上、被作動用の横軸部は前記固定部材と同様の機能をなすこととなる。一方、被作動用の横軸部に対して作動用の横軸部の移動変位が、前記縦軸部の立設方向における遮蔽部材の長さを超える場合には、前記作動用の横軸部が前記縦軸部に沿って移動することによって伸張された遮蔽部材を介して前記被作動用の横軸部に牽引力が伝達されるので、前記作動用の横軸部及び前記被作動用の横軸部によって張られた前記遮蔽部材が前記図柄表示部の一部を遮蔽しながら移動することとなる。
【００８６】
（ロ）  図柄を変動表示する図柄表示装置の図柄表示部を、可撓性を有する遮蔽部材により遮蔽する遊技機の遮蔽装置であって、上下方向に延在し、前記図柄表示部に沿って間隔をおいて並設された縦軸部と、前記各縦軸部に対して架設されると共に、前記縦軸部の立設方向に位置する前記遮蔽部材の一方端部に接続される横軸部と、前記図柄表示部に対して、前記縦軸部の立設方向に位置する前記遮蔽部材の他方端部を固定する固定された固定部材と、係る固定部材に対して前記横軸部を前記縦軸部の立設方向に移動させる駆動手段とを具備し、前記駆動手段が前記横軸部を移動させることで前記遮蔽部材を変形させ、前記図柄表示部の少なくとも一部を遮蔽状態又は開放状態とすることを特徴とする遊技機の遮蔽装置。
【００８７】
かかる構成は、前記ガイド部材を縦軸部とし、前記接続部材を横軸部として適用し、遊技機の上下方向に立設された縦軸部に沿って前記遮蔽部材が上下方向に移動して前記図柄表示部の少なくとも一部を遮蔽する構成を示したものである。
【００８８】
従って、遮蔽部材による図柄表示部の遮蔽動作を、巻き取りローラなどの部材を使用せずに、前記作動用の横軸部によって動作させているため、遮蔽部材の製造コストを低減させることができる。
【００８９】
また、前記縦軸部に対して架設された作動用の横軸部及び前記固定部材を、前記縦軸部の立設方向における両端部に接続された構成としたので、前記横軸部の移動によって前記遮蔽部材の張架が確実になされ、図柄表示部の遮蔽動作及び開放動作をスムーズに行うことができる。また、遮蔽部材の張架を確実にする前記渦巻きバネ等を用いる必要がないので、遊技機の製造コストを低減させることができる。
【００９０】
さらに、補助演出を行う遮蔽部材が、常に図柄表示部を覆う構成を採用せずに図柄表示部の遮蔽動作及び開放動作を行うので、図柄表示部の遮蔽演出に対するインパクトを確保することができる。
【００９１】
ここで、本発明の構成は、前記駆動部によって前記縦軸部に係合しながら移動可能とされた作動用の横軸部と、その作動用の横軸部に一方端部が連結された遮蔽部材の他方端部に連結された固定部材とを有するものである。すなわち、前記固定部材によって他方端部が固定された遮蔽部材は、前記作動用の横軸部が移動することによって前記他方端部を前記固定部材に保持されながら伸張される。
【００９２】
（ハ）  請求項１〜６の何れかに記載の遊技機の遮蔽装置において、前記遮蔽部材は、可撓性の材料よりなることを特徴とする遊技機の遮蔽装置。
【００９３】
ここでいう遮蔽部材は、前記閉鎖状態と前記開放状態とにおいて変形されるべく可撓性を有していればよいので、前記ガイド部材（縦軸部）の立設方向に相互に連結された複数の小板によって構成された遮蔽部材（例えば、簾形状の遮蔽部材）を採用することもできる。かかる構成は、遮蔽部材の形状自体が可撓性を有しているので、前記開放状態時に、遮蔽部材を効率的に撓ませることができるだけでなく、遮蔽部材自体のコストも低減できる。
【図面の簡単な説明】
【００９４】
【図１】本発明に係る遮蔽装置の第１の実施形態における構成を示す斜視図。
【図２】本発明に係る遮蔽装置を採用する遊技機の構成を示す正面図。
【図３】本発明に係る遮蔽装置の第１の実施形態における遊技盤への設置態様を説明するための側面図。
【図４】本発明に係る遮蔽装置の第１の実施形態における構成を示す図。
【図５】本発明に係る遮蔽装置の第１の実施形態における遮蔽部材の構成を示す図。
【図６】本発明に係る遮蔽装置の第１の実施形態における遊技機の構成を示すブロック図。
【図７】本発明に係る遮蔽装置の第１の実施形態における接続部材の動作を示す斜視図。
【図８】本発明に係る遮蔽装置の第１の実施形態における各接続部材及び遮蔽部材の動作を示す斜視図。
【図９】本発明に係る遮蔽装置の第２の実施形態における構成を示す斜視図。
【図１０】本発明に係る遮蔽装置の第２の実施形態における遮蔽部材の構成を示す図。
【図１１】本発明に係る遮蔽装置の第２の実施形態における各接続部材及び遮蔽部材の動作を示す斜視図。
【符号の説明】
【００９５】
１  遊技機
２  遊技盤
２１  アウト口
２２  始動入賞具
２３  電動入賞装置
２４  図柄表示部
２５  大型装飾部材
２５１  透視窓部
３  図柄表示装置
４  遮蔽装置
４０  本体ケース
４０１  透視窓部
４１  遮蔽部材
４１１  襞部
４２  ガイド部材
４３  接続部材
４３ａ  作動用接続部材
４３ｂ  被作動用接続部材
４３１  芯材
４３２  ガイド部材接続部
４３３  位置決め部材接続部
４４  駆動手段
４４１  駆動モータ
４４２  駆動伝達シャフト
４５  規制部
４６  位置決め部材
４７  位置検出器
４８  固定部材（固定部材）
【図１】
2005342116.tif 000003
【図２】
2005342116.tif 000004
【図３】
2005342116.tif 000005
【図４】
2005342116.tif 000006
【図５】
2005342116.tif 000007
【図６】
2005342116.tif 000008
【図７】
2005342116.tif 000009
【図８】
2005342116.tif 000010
【図９】
2005342116.tif 000011
【図１０】
2005342116.tif 000012
【図１１】
2005342116.tif 000013